(57)【要約】      （修正有）【課題】長時間の保冷および棺の美麗化を可能とする保冷棺を提供する。【解決手段】断熱構造による本体ケース１の側面に開閉自在の側扉２を設け、本体ケースに接して別室の冷却機構部５を設けるとともに、該冷却機構部に接続される吸熱部分を本体ケース内面適所に位置させ、本体ケース外面に装飾板を着脱自在に取り付ける。【選択図】図２
2005137851.tif 000002
【特許請求の範囲】
【請求項１】
断熱構造による本体ケースの側面に開閉自在の側扉を設け、本体ケースに接して別室の冷却機構部を設けるとともに、該冷却機構部に接続される吸熱部分を本体ケース内面適所に位置させ、本体ケース外面に装飾板を着脱自在に取り付けたことを特徴とする装飾板付き保冷棺。
【発明の詳細な説明】
【技術分野】
【０００１】  この発明は、冷却機構による低温環境下により、遺体を長期間保存することができるとともに美麗なる装飾を可能とした装飾板付きの保冷棺に関する。
【背景技術】
【０００２】  従来より、遺体は必要な処置を行ってからすみやかに棺に収められるが、葬儀中の遺体の傷みを防ぐために、通常はドライアイスを棺内に収納して遺体を冷却する手段が用いられており、本発明にて示すように、冷却装置によって棺内を低温に保つことのでき、かつ装飾板を有するものは見当たらない。
【発明の開示】
【発明が解決しようとする課題】
【０００３】  従来からのドライアイスを用いる方法は、ドライアイスが昇華の性質を有するため、時間の経過とともにドライアイスが減少するので保冷時間に限度がある。そのため、長時間の遺体保存は難しく、かつ適宜にこのドライアイスを補給しなければならないものであった。
本発明は、以上のような従来からの棺内保冷手段に関わる課題を解決するために発明されたもので、棺と一体に設けられた冷却装置を通電作動させることにより、長期間の保冷および棺の美麗化を可能とする保冷棺を提供するものである。
【課題を解決するための手段】
【０００４】  課題を解決する手段として本発明は、断熱構造のケースに接して別室の冷却機構部を設け、この冷却機構部によって本体ケース内を冷却可能に構成するとともに装飾板を設けてその主要部を構成した。
すなわち、断熱構造による本体ケースの側面に開閉自在の側扉を設け、本体ケースに接して別室の冷却機構部を設けるとともに、該冷却機構部に接続される吸熱部分を本体ケース内面適所に位置させ、本体ケース外面に装飾板を着脱自在に取り付ける。
本発明は以上の構成よりなる装飾板付き保冷棺である。
【発明の効果】
【０００５】  本発明によれば、ドライアイスを用いる従来法と異なり、通電によって棺の冷却を行うことができるため、ドライアイスの補給手間が不要となり、長時間の遺体保存が可能となって、葬儀日程の選択幅を広げることができる。とりわけ、外国などの遠距離の葬儀参列者にも大変有効となる。また冷却機能を有する本体ケース内に棺を収納して冷却するので、繰り返し何度でも使用することができるとともに、装飾板を有するので美観上も優れた有用なる物品を提供することができる。
【発明を実施するための最良の形態】
【０００６】  以下、本発明の実施形態について説明する。
図において、１は箱形の本体ケースで、鉄板製の外板と内板の間にウレタン系の断熱材を配した壁面構造を用いて形成されている。２は鉄板製の側扉で、本体ケースの側面に蝶番にて開閉自在に設けられる。３は上扉で、本体ケースの側扉近傍上面に設けられ、側扉同様に蝶番にて取り付けられる。
以上の上扉および側扉は本体ケースと同様の壁面構造にて形成される。
４は覗扉で、上扉の中央部分に開閉可能に設けられる。この覗扉は図４にて示すように、両開きの扉の下に厚手の硬質ガラスを設け、その下方には二枚のガラス板による複層ガラスが設けられた構成である。５は冷却機構部で、側扉と反対側の本体ケース側面に別室として設けられる。この冷却機構部内には、モーターと圧縮機を内蔵したパワーユニット６が設けられ、冷媒循環のための管体が接続されている。
このパワーユニットより送出された冷媒は凝縮器７により放熱し、蒸発器８によって吸熱する仕組みであるが、本発明では冷却機構部内にパワーユニットおよび凝縮器を配置し、本体ケース内面上部中央に蒸発器を配置して、本体ケースに設けた貫通孔を通過する管体にて冷媒を蒸発器に導くよう構成した。【０００７】  １０は枠状のスライドベースで、対向する長辺内側面間に複数本の軸１１が取り付けられ、この軸にローラー１２が回動自在に設けられている。また、各々のローラーの左右には環状のストッパー１３が軸に嵌着されてローラーの位置を規定している。そしてこのスライドベースは本体ケース内底面上に収納可能であり、本体ケースより自由に取り出すことができる。
２０および２１は上部装飾板で、本体ケースとわずかの距離を持って位置する湾曲形状の木製板で、その内面適所には所定形状の磁石２６が固着されている。この磁石はゴム板に着磁鉄粉を練り混んだものであり、磁着時のショックが緩和される効果を有している。
なお、上部装飾板２０に近接する本体ケース適所に、該装飾板を保持するためのレバー回動式の保持金具１５が設けられる。２２は長方形状の正面装飾板で、その裏面には前記と同様に磁石が固着される。２３は長方形状の背面装飾板で、正面装飾板と同様構成であるが、本体ケースの放熱部分にかぶらないよう若干短く形成される。２４および２５は側面装飾板で磁石を有し、本体ケースおよび上部装飾板を覆い隠す形状・サイズの板であり、本体ケース側面に磁着される。【０００８】  本発明を使用するには、まず本体ケースを適当個所に置き、冷却機構部に通電する。
この通電によりパワーユニットが作動し、すなわちモーター駆動によって圧縮機が作動を開始する。そして配管内を冷媒ガスが移動して、蛇管状の凝縮器内を通過するが、この凝縮器にて冷媒ガスは液化し、このとき凝縮により発生する熱を放熱する。放熱した液状の冷媒は管路を経て蒸発器に至り、ここで液状の冷媒は気化して気化熱を周囲から奪うため、蒸発器の周辺は冷却される。
以上が本発明の冷却機構部による冷却原理であり、市販されている電気冷蔵庫と同等のシステムである。以上の手順によって本体ケース内は冷却されて低温伏態になる。
そして、遺体を収めた棺をこの本体ケース内に収納すれば、棺内も低温となり、遺体を長時間にわたって保存することができる。
本発明は、駆動機構部分および凝縮器を別室内に設け、蒸発器を本体ケース内に設けている。従って、放熱部分の影響を本体ケース内に及ぼすことなく、有効に必要個所を冷却することができ、通電作動のために長時間の冷却が可能である。なお、側扉は遺体を収納した従来の木製棺を本体ケースに出し入れするために設けたものであり、この木製棺の上蓋を外して本体ケースに収納する。【０００９】  本発明の主要な機能については前述したが、本例では本体ケースに上扉および覗扉を設けた。一般に、葬儀の際には棺の一部を開いて、参列者が遺体の周りに花等を差し入れたりするが、このときのために、本体ケースに上扉と覗扉を設け、従来の棺と同様に扱えるよう構成した。なお、本発明は、長時間の保冷を前提としているため、この覗扉部分については複数枚のガラスを用いて保冷を妨げることのないよう配慮した。
また、本発明を使用する場合、遺体を一般の棺に収容し、この棺を本体ケースに収納して保冷することになるが、この棺の出入りを容易とするために本例ではスライドベースを併用している。このスライドベースの使用によって、棺の底部はローラーに接してスムースに移動させることができる。このローラーは、図６にて示すように本例では軸をフレームに固定し、この軸にローラーを緩挿し、またローラー近傍にストッパーを設けてローラー位置を規定しているが、本例のローラー構造に限定することなく、他の構造を用いてもよい。このスライドベースは、本体ケースに出入り自由であり、ケースより引き出すことにより、ケース内清掃が可能である。なお、１４は保護クッションで、ゴム製のブロック体であり、棺の出し入れの際に棺端と本体ケース内が衝突して損傷することを防止するために設けたものである。また本例では図示を略したが、本体ケース内適所に温度センサーを設け、このセンサーからの信号によってパワーユニットの作動をコントロールすることにより、ケース内を所定の温度に保つことができる。【００１０】  さらに本例では本体ケースの各面に装飾板を磁着させる構成とし、視覚上の美観を有するよう配慮した。正面装飾板には家紋を含む装飾模様を表現したので、この装飾を適宜に変更して用いれば、様々な宗派に対応が可能である。
なお、上部装飾板２０は保持金具の操作により簡単に除去することができ、本体ケースの上扉を開き、収納されている棺の飾り扉を開くことで、葬儀の際の遺体への花の差し入れ等を行うことができる。また、本体ケースの内壁適所に消臭剤などが入れられるポケット（図示略）を設けることで、棺内の臭いを防止することができる。なお、既述の例では装飾板を磁着により取り付けたが、金具その他の手段を用いてもよい。
なお、図１〜図６は本体ケース関係の図を示し、図７〜図１５はおもに装飾板取り付け関係を示すものである。図１２の上部形状は図３の形状に比べ、曲面部分を大きくした例である。また、図２の例は放熱および操作スイッチ関係を正面に配備しているが、図８〜図９の例は美観を配慮して同部分を背面に位置させた例である。
図８では上部装飾板に近接して側面装飾板が左右に位置し、正面から側面装飾板が視認できる構成であるが、図１５は上部装飾板の左右長さを少し伸ばし、側面装飾板のサイズをやや小さくして、この側面装飾板が上部装飾板に隠れて正面から視認できないよう構成した例である。
以上のごとく、本発明によって長時間の保冷を可能とする美麗な保冷棺を提供することができる。
【図面の簡単な説明】
【００１１】
【図１】  本発明の一部を切り欠いた平面図（装飾板取り付け前）
【図２】  本発明の一部を切り欠いた正面図（装飾板取り付け前）
【図３】  本発明の右側面図（装飾板取り付け前）
【図４】  本発明の覗扉部分の構造説明図
【図５】  本発明の冷却原理説明図
【図６】  本発明のローラー部分の構造説明図
【図７】  本発明の平面図（装飾板取り付け後）
【図８】  本発明の正面図
【図９】  本発明の背面図
【図１０】  本発明の側面装飾板の正面図
【図１１】  本発明の側面装飾板の右側面図
【図１２】  本発明の右側面図
【図１３】  本発明の側面装飾板取り付け前の拡大右側面図
【図１４】  本発明の側面装飾板取り付け後の右側面図
【図１５】  本発明の他例を示す正面図
【符号の説明】
【００１２】１    本体ケース
１ａ  外板
１ｂ  内板
１ｃ  断熱材
２    側扉
３    上扉
２ａ，３ａ  蝶番
４    覗扉
４ａ  蝶番
４ｂ  硬質ガラス
４ｃ  複層ガラス
５    冷却機構部
６    パワーユニット
７    凝縮器
８    蒸発器
１０  スライドベース
１１  軸
１２  ローラー
１３  ストッパー
１４  保護クッション
１５  保持金具
２０  上部装飾板
２１  上部装飾板
２２  正面装飾板
２３  背面装飾板
２４  側面装飾板
２５  側面装飾板
２６  磁石
３０  上部装飾板
３１  上部装飾板
３２  正面装飾板
【図１】
2005137851.tif 000003
【図２】
2005137851.tif 000004
【図３】
2005137851.tif 000005
【図４】
2005137851.tif 000006
【図５】
2005137851.tif 000007
【図６】
2005137851.tif 000008
【図７】
2005137851.tif 000009
【図８】
2005137851.tif 000010
【図９】
2005137851.tif 000011
【図１０】
2005137851.tif 000012
【図１１】
2005137851.tif 000013
【図１２】
2005137851.tif 000014
【図１３】
2005137851.tif 000015
【図１４】
2005137851.tif 000016
【図１５】
2005137851.tif 000017